(57)【要約】      （修正有）【課題】格子中央部の膨らみを抑制する木製格子扉を提供する。【解決手段】左右の縦框並びに上側の横框及び下側の横框とからなる木材の框組みと、框組み内に組み付けられる面材６と、夫々縦格子７ａと横格子７ｂとからなり、框組み内において面材６をその表裏面から挟持・固定する、木材の格子７、７とからなる木製格子扉における表裏の格子７、７の高さ方向の中央部に位置する夫々の横格子７ｂ、７ｂに、その一方側の他方側との対向面に、永久磁石８を固着する一方、もう一方側の他方側との対向面に、永久磁石８に磁力により吸着する金属片９を固着する。【選択図】図３
2019137990.tif 000002
【特許請求の範囲】
【請求項１】
左右の縦框並びに上側の横框及び下側の横框とからなる木材の框組みと、該框組み内に組み付けられる面材と、夫々縦格子と横格子とからなり、前記框組み内において前記面材をその表裏面から挟持・固定する、木材の格子とからなる木製格子扉における前記表裏の格子の高さ方向の中央部に位置する夫々の横格子に、その一方側の他方側との対向面に、永久磁石を固着する一方、もう一方側の他方側との対向面に、前記永久磁石に磁力により吸着する金属片を固着してなることを特徴とする木製格子扉における格子中央部の膨らみ抑制構造。
【請求項２】
面材が、ガラス板又はアクリル板である請求項１記載の木製格子扉における格子中央部の膨らみ抑制構造。
【請求項３】
永久磁石と金属片の夫々の横格子への固着を、夫々の横格子の対向面に穿設した凹部内への、その表面が横格子の表面と面一となるようにした嵌合と、接着剤による接着によって行うようになした請求項１又は２記載の木製格子扉における格子中央部の膨らみ抑制構造。
【発明の詳細な説明】
【技術分野】
【０００１】
本発明は、木製格子扉における格子中央部の膨らみ抑制構造に関するものである。
【背景技術】
【０００２】
従来、図７乃至図９に示す如く、框組み内に取り付けられるガラス板又はアクリル板からなる面材を、木材の格子によって表裏面から挟持・固定した木製格子扉があり、意匠性に優れていることから住宅等において多用されている。
【０００３】
図７乃至図９において、１００は木製格子扉であり、左右の縦框１０１、１０１並びに上側の横框１０２及び下側の横框１０３とからなる木材の框組み１０４と、該框組み１０４内に組み付けられるガラス板又はアクリル板からなる面材１０５と、前記框組み１０４内において前記面材１０５をその表裏面から挟持・固定する、木材からなる格子１０６、１０６とからなるものである。尚、該面材１０５をその表裏面から挟持・固定する格子１０６、１０６は、夫々縦格子１０６ａと横格子１０６ｂとからなり、表裏の格子１０６、１０６は同形に組み立てられている。
【０００４】
しかしながら、斯かる従来の木製格子扉１００は、経時変化によって表裏の格子１０６、１０６に反りが生じ、図９に示す如く、表裏の格子１０６、１０６の高さ方向の中央部において膨らみ、そしてこれにより表裏の格子１０６、１０６と面材１０５との間に隙間Ｓが生じることになる。このような傾向は、格子や框組みを薄くしたり、扉の高さを大きくすればする程顕著になる。そして、このようになった場合には、表裏の格子１０６、１０６による面材１０５の挟持・固定が不安定になると共に、見栄えも悪くなる。
【０００５】
そしてまた、上記の点を改善すべく、図４乃至図６に示す如き手段も採用されている。尚、図４乃至図６において前記図７乃至図９におけると同一の部材には、同一の符号を付している。
【０００６】
該手段は、表裏の格子１０６、１０６の高さ方向の中央部において面材１０５を分断し、該分断した部分の隙間Ｓの位置において表裏の格子１０６ｂ、１０６ｂに、そのいずれか一方側から他方側にかけてビス１０７を螺入して締め付け、該横格子１０６ｂ、１０６ｂ及び縦格子１０６ａ、１０６ａが面材１０５を挟持した状態を保持するものである。そして、これにより格子１０６、１０６の経時変化の反りに基因する高さ方向の中央部の膨らみを抑制するものである。
【０００７】
しかし、斯かる手段の場合には、框組み１０４内に組み付ける前に予め面材１０５を高さ方向の所定の位置で分断する必要がある。したがって、この手間がかかる。そして、面材１０５の上下に分断した部分の隙間Ｓの位置において表裏の横格子１０６ｂ、１０６ｂにビス１０７を螺入するときには、ビスの挿入孔を穿設した後、ビスを挿入して何回もネジ回す作業が必要であり、これにも多大な労力と時間を要するものである。また、この作業中において横格子１０６ｂ、１０６ｂが割れる虞もある。さらにまた、横格子１０６ｂの表面にビス１０７の頭部が露出していることから、美感を損ねて安っぽい印象を与えることになる。
【発明の概要】
【発明が解決しようとする課題】
【０００８】
本発明は上記の点に鑑みなされたものであって、面材を框組み内に組み付ける際に、従来の如く予め分断する必要がなく、またビスによる締め付けの場合における上記の如き手間がかからず、さらにまた横格子の表面にビスの頭部が露出することがなく、組み付け作業を簡単且つ迅速に行うことができると共に、格子中央部の膨らみを確実に抑制することができ、加えて格子の意匠性を損なうこともない木製格子扉における格子中央部の膨らみ抑制構造を提供しようとするものである。
【課題を解決するための手段】
【０００９】
而して本発明の要旨とするところは、左右の縦框並びに上側の横框及び下側の横框とからなる木材の框組みと、該框組み内に組み付けられる面材と、夫々縦格子と横格子とからなり、前記框組み内において前記面材をその表裏面から挟持・固定する、木材の格子とからなる木製格子扉における前記表裏の格子の高さ方向の中央部に位置する夫々の横格子に、その一方側の他方側との対向面に、永久磁石を固着する一方、もう一方側の他方側との対向面に、前記永久磁石に磁力により吸着する金属片を固着してなることを特徴とする木製格子扉における格子中央部の膨らみ抑制構造にある。
【００１０】
また、上記構成において、面材はガラス板又はアクリル板のいずれかであることが好ましい。
【００１１】
また、上記構成において、永久磁石と金属片の夫々の横格子への固着を、夫々の横格子の対向面に穿設した凹部内への、その表面が横格子の表面と面一となるようにした嵌合と、接着剤による接着によって行うようになすことが好ましい。
【発明の効果】
【００１２】
本発明は上記の如き構造であり、木製格子扉における表裏の格子の高さ方向の中央部に位置する夫々の横格子に、その一方側の他方側との対向面に、永久磁石を固着する一方、もう一方側の他方側との対向面に、前記永久磁石に磁力により吸着する金属片を固着してなるものであるから永久磁石の磁力による吸着作用を利用して表裏の横格子同士を恒常的に近づけておくことにより、表裏の格子の高さ方向の中央部の反りに基因する膨らみを抑制することができるものである。
【００１３】
また、従来の如き面材を分断する手間が不要であると共に、ビスによる締め付けに要する多大な労力と時間が不要で、表裏の格子の夫々の横格子の対向面に、永久磁石と金属片を埋め込むだけの簡単な組み付け作業で済み、加えて格子の表面には何らの美感を損ねるものは存在しないから、格子の意匠性が損なわれることもないものである。
【図面の簡単な説明】
【００１４】
【図１】本発明を実施した木製格子扉の正面図である。
【図２】図１中Ａ部分の拡大図である。
【図３】図２中Ａ―Ａ線拡大断面図である。
【図４】従来の改良された木製格子扉の正面図である。
【図５】図４中Ｂ部分の拡大図である。
【図６】図５中Ｂ―Ｂ線拡大断面図である。
【図７】従来の木製格子扉の正面図である。
【図８】図７中Ｃ部分の拡大図である。
【図９】図８中Ｃ―Ｃ線拡大断面図である。
【発明を実施するための形態】
【００１５】
以下、本発明を実施するための形態について、図面を参照して説明する。
【００１６】
図中、１は本発明を実施した木製格子扉である。また、該木製格子扉１は、その基本的な構成自体は従来における木製格子扉と同様であり、左右の縦框２、２並びに上側の横框３及び下側の横框４とからなる木材の框組み５と、該框組み５内に組み付けられるガラス板又はアクリル板からなる面材６と、夫々縦格子７ａと横格子７ｂとからなり、前記框組み５内において前記面材６をその表裏面から挟持・固定する、木材からなる格子７、７とからなるものである。
【００１７】
而して本発明は、前記木製格子扉１における前記表裏の格子７、７の高さ方向の中央部に位置する夫々の横格子７ｂ、７ｂに、その一方側の他方側との対向面に、永久磁石８を固着する一方、もう一方側の他方側との対向面に、前記永久磁石８に磁力により吸着する金属片９を固着してなることを特徴とするものであり、そしてこのように永久磁石８の磁力による吸着作用を利用して表裏の横格子７ｂ、７ｂ同士を恒常的に近づけておくことにより、確実に表裏の格子７、７の高さ方向の中央部の反りに基因する膨らみを抑制することができるものである。
【００１８】
また、本発明によれば、従来の如き、分断した面材の隙間に挿通するビスを用いて横格子同士を恒常的に近づけておくものではないから、面材を分断する手間が不要である。
【００１９】
また、本実施形態においては、前記表裏の格子７、７の夫々の横格子７ｂ、７ｂの対向面に、永久磁石８と金属片９を埋め込むだけの簡単な組み付け作業で済むようになしており、具体的には、永久磁石８と金属片９の夫々の横格子７ｂ、７ｂへの固着を、夫々の横格子７ｂ、７ｂの対向面に穿設した凹部７ｂ′、７ｂ′内への、その表面が横格子７ｂ、７ｂの表面と面一となるようにした嵌合と、接着剤（図示せず。）による接着によって行うものである。
【００２０】
これにより従来の横格子にビスの挿通孔を穿設し、そしてこれにビスを挿入して何回もネジ回す組み付け作業に比して大幅に労力と時間を軽減することができると共に、組み付け作業中において横格子が割れる虞も解消することができるものである。加えて、永久磁石８と金属片９は横格子７ｂ、７ｂの表面からは見えず、従来の如きビスの頭部が見えることにより美感を損なうこともないから、意匠性が損なわれることもないものである。
【符号の説明】
【００２１】
１  木製格子扉
２、２  左右の縦框
３  上側の横框
４  下側の横框
５  框組み
６  面材
７、７  表裏の格子
７ａ、７ａ  縦格子
７ｂ、７ｂ  横格子
７ｂ′、７ｂ′  凹部
８  永久磁石
９  金属片
【図１】
2019137990.tif 000003
【図２】
2019137990.tif 000004
【図３】
2019137990.tif 000005
【図４】
2019137990.tif 000006
【図５】
2019137990.tif 000007
【図６】
2019137990.tif 000008
【図７】
2019137990.tif 000009
【図８】
2019137990.tif 000010
【図９】
2019137990.tif 000011